(57)【要約】【課題】１つの工具で簡単に雑草等を抜き取ったり、刈り取りの作業を行なうようにすることにある。【解決手段】草取り用、その他の熊手工具１の熊手部３に草等を刈り取るようにカッターまたは鋸刃、ワイヤー等の切刃具４を熊手部に配設したものである。切刃具４を交換可能に熊手部３に取着することができ、また切刃具４を熊手部３に取付位置を可変に取着するようにもできる。さらに、熊手工具１の把持部２に切刃具４を収納可能に形成するのが好ましい。【選択図】　　　　　図１
2004008099.tif 000002
【特許請求の範囲】
【請求項１】
草取り用、その他の熊手工具の熊手部に草等を刈り取るようにカッターまたは鋸刃、ワイヤー等の切刃具を熊手部に配設したことを特徴とする草取り等の熊手工具。
【請求項２】
切刃具を交換可能に熊手部に取着した請求項１に記載の草取り等の熊手工具。
【請求項３】
切刃具を熊手部に取付位置を可変に取着するようにした請求項１または２に記載の草取り等の熊手工具。
【請求項４】
熊手工具の把持部に切刃具を収納可能に形成した請求項１ないし３のいずれかに記載の草取り等の熊手工具。
【発明の詳細な説明】
【０００１】
【発明が属する技術分野】
本発明は、農工具や園芸分野における草取り等の熊手工具に関するものである。
【０００２】
【従来の技術】
従来、庭や田んぼ、小道等の雑草の抜き取りや園芸用に熊手工具が広く利用されている。また、雑草や小枝等を切り取るには鎌や剪断ばさみも適宜使用されている。
【０００３】
【発明が解決しようとする課題】
しかし、熊手工具は、周知のように土壌を掘るようにして雑草等を抜き取るもので、雑草等を払うようにして刈り取り処理をすることができなかった。
【０００４】
そのために、上記した鎌、その他の工具が使用されるが、水平方向に払って雑草等を刈り取れるが、熊手工具のように雑草等を掘り取ることができないもので、１つの工具で雑草等を抜き取ったり、刈り取るような工具がなく、簡単にこれらの作業を行なうようにすることが課題であった。
【０００５】
【課題を解決するための手段】
本発明は、上記のような点に鑑みたもので、上記の課題を解決するために、草取り用、その他の熊手工具の熊手部に草等を刈り取るようにカッターまたは鋸刃、ワイヤー等の切刃具を熊手部に配設したことを特徴とする草取り等の熊手工具を提供するにある。
【０００６】
【発明の実施の態様】
本発明の草取り等の熊手工具水用装置は、草取り用、その他の熊手工具の熊手部に草等を刈り取るようにカッターまたは鋸刃、ワイヤー等の切刃具を熊手部に配設したことを特徴としている。
【０００７】
熊手工具１は、図１、図２のように把持部２の先端に装着した熊手部３に切刃具４を着脱可能に取着し、雑草等を根こそぎ抜き取ったり、根元部を切り取ったりできるようにしている。
【０００８】
熊手部３は、図１、図２のように３〜５本等のフォーク状に分岐部材５を分割して設けていて、その分岐部材５の少なくとも両端部に切刃具４を取り付ける取付孔や挟着材等の固着部６を設け、切刃具４を交換可能に取着できるようにしている。
【０００９】
切刃具４は、図３（ａ）、（ｂ）のように所要幅のカッターナイフのようなものや、図４（ａ）、（ｂ）のような鋸刃、ワイヤーのようなものが適用でき、これらの切刃部７を下方側に向けて図１、図２のように熊手部３に取着する。
【００１０】
このため、たとえば図３、図４のように切刃具４の両側部にＵ字状に切欠した被取付部８を設けて容易に挿脱できるようにし、熊手部３の固着部６に取り付けたボルト９に挿入して蝶ねじ等の締付具１０で容易に締着するようにするのが好ましい。
【００１１】
このように形成した熊手工具１の把持部２は、図１のように内部を空洞とした収容部１１とし、キャップ１２を螺着して上記した切刃具４を所要数収容可能としている。
【００１２】
図５は、熊手部３に切刃具４を確実に設置できるように段落部１３を設けて切刃具４を締着するようにしたもので、切刃具４をしっかりと固定できて草等を切り取ることができる。
【００１３】
また、図６は、切刃具４を０．１〜２．０ｍｍ径程度の細いピアノ線のような鉄鋼線のワイヤーとして、その両端部に上記した段落部１３等にしっかりと固定できるように固定部１４を取着し、さらにＵ字状の被取付部８を設けたものである。切刃具４をワイヤーとすることにより、熊手工具１を容易に土壌中にもぐらせて草等を根こそぎからませて引き抜いたり、切り取ったりすることができて好ましい。また、安価に切刃具４を作ることもできる。
【００１４】
なお、上記した熊手工具は、公知のようにアルミニウム合金や鉄などの金属材や把持部を木材等で形成できるが、把持部２を合成樹脂材やゴムを被覆することもでき、さらに柄ないし把持部２を長くして立って作業をするようにしたりするなど使用勝手のよいように成形できるものである。
【００１５】
【実施例】
図１〜図４は、本発明の一実施例を示すものである。熊手工具１は、図１、図２のように合成樹脂材で把持部２を３０ｃｍの長さに、熊手部３を幅８ｃｍ、高さ８ｃｍに鉄材で形成していて、熊手部３の分岐部材５の両側に下端から２ｃｍと３ｃｍの位置に３ｍｍ径の取付孔１３を開孔し、ボルト９を挿通して１５×８０×０．５ｍｍのナイフカッターの切刃具４を蝶ねじの締付具１０で交換可能に締着したものである。
【００１６】
そして、上記把持部２の後部側を空洞状態の収容部１１を設けて予備のナイフカッターや鋸歯、ワイヤーの切刃具４を適宜数収容し、交換可能としたり、使った切刃具４を収容できるようにしている。
【００１７】
このようにした熊手工具を使用すると、熊手部３で雑草等の抜き取りが行なえるとともに、切刃具４を水平状などに動かすことで雑草等を根元部で切断して清掃することができる。
【００１８】
また、雑草等の切断位置に対応して、熊手部３での切刃具４の取り付け位置を調整することができ、また鋸歯の切刃具４と交換することによって切刃具４に雑草等をからませて引き抜くようにもできる。
【００１９】
さらに、草木の小枝や葉などについても、上記した熊手工具１の切刃具４を対向して動かすことによって、所要部の小枝や葉なども切断して、草木の剪断処理のように利用できる。また、切断した草や小枝、葉などを熊手工具１で掻き集めることもできる。
【００２０】
図５は、本発明の他の実施例で、熊手部３に段落部１３を設けて切刃具４を締着するようにしたもので、切刃具４をしっかりと固定できて草等を切り取るようにできるものである。
【００２１】
図６は、本発明の切刃具４のさらに他の実施例で、切刃具４として１．０ｍｍ径の細いピアノ線のワイヤーとして熊手部３に交換可能に取着できるようにしたものである。切刃具４をワイヤーとすることにより、熊手工具１を容易に土壌中にもぐらせて草等を根こそぎからませて引き抜いたり、切り取ったりすることができて好ましい。また、切刃具４を安価に作ることができるものである。なお、その取付手段としては、熊手部３に挿入孔を設けて挿通するなど適宜に行なうことができる。
【００２２】
なお、上記では、熊手工具に切刃具を取着して使用することを説明したが、従来のように熊手工具単独で使用するのを除外するものでなく、適宜に切刃具を使用して利用すればよいものである。
【００２３】
【発明の効果】
以上のように本発明にあっては、草取り用、その他の熊手工具の熊手部に草等を刈り取るようにカッターまたは鋸刃、ワイヤー等の切刃具を熊手部に配設したので、１つの熊手工具で雑草等の抜き取りと切断とが行なえ、従来できなかった作業を効率よく行なうことができる。
【００２４】
また、切刃具を交換可能に熊手部に取着することによって、損耗したり、折損した切刃具を交換して作業を行なうことができる。
【００２５】
また、切刃具を熊手部に取付位置を可変に取着することによって、雑草等の根元位置等の切断高さを調整して作業を行なうようにできる。
【００２６】
またさらに、熊手工具の把持部に切刃具を収納可能に形成することによって、切刃具を使用しないときには安全に把持部に収容しておけ、また上記したように損耗したり、折損した切刃具を交換することが即座にできる。
【図面の簡単な説明】
【図１】本発明の一実施例の一部切欠した側断面図、
【図２】同上の熊手部の正面図、
【図３】同上の切刃具の正面図（ａ）と側面図（ｂ）、
【図４】同上の切刃具の他の実施例の正面図（ａ）と側面図（ｂ）、
【図５】同上の熊手部の他の実施例のやや拡大側断面図、
【図６】同上の切刃具の他の実施例の一部省略した正面図。
【符号の説明】
１…熊手工具　　２…把持部　　３…熊手部　　４…切刃具
【図１】
2004008099.tif 000003
【図２】
2004008099.tif 000004
【図３】
2004008099.tif 000005
【図４】
2004008099.tif 000006
【図５】
2004008099.tif 000007
【図６】
2004008099.tif 000008